(57)【要約】      （修正有）【課題】  既設の電柱用バンドを利用した機器装柱装置を提供する。【解決手段】  電柱ｄに締付けた既設の電柱用バンドＢのバンド片４，４同士を接続して先端側をバンド片４より突出させた接続ボルト１に第一装柱金具２の方形状の中央片２ａを前記バンド片４に重ね合わせ、挟持片２ｂ，２ｂを前記バンド片４の端縁に相対させ、また、他の一方側の両端にＬ形屈曲状にして設けた接続片２ｃに、第二装柱金具３の組付板１１を重ね合わせ、前記接続ボルト１の先端を貫通させて組付板１１より突出して止着ナット１７を螺合し、前記各接続部片２ｃと前記組付板１１に締結ボルト９を貫通させて締結ナット１６を螺合する。第二装柱金具３の前記装柱板には取付手段によって余長金具ｈを取り付ける。【選択図】図２
2007135334.tif 000002
【特許請求の範囲】
【請求項１】
電柱に締付けた既設の電柱用バンドのバンド片同士を接続して先端側をバンド片より突出させた接続ボルトとこれに螺合した接続ナットを係合孔において内嵌して第一装柱金具の方形状の中央片を前記バンド片に重ね合わせ、該中央片の一方側の両端に相対設した挟持片を前記バンド片の端縁に相対させる一方、他の一方側の両端にＬ形屈曲状にして設けた接続片に、組付板と装柱板を互いに交差方向に配して構成した第二装柱金具の組付板を重ね合わせ、該組付板に前記接続ボルトの先端を貫通させて組付板より突出する該接続ボルトの先端に止着ナットを螺合する一方、前記各接続部片と前記組付板に接続片側から締結ボルトを貫通させて該組付板より突出させたその先端に締結ナットを螺合すると共に、第二装柱金具の前記装柱板には取付手段によって機器を取付けた、機器装柱装置。
【発明の詳細な説明】
【技術分野】
【０００１】
本発明は、機器装柱装置に関するものである。
【背景技術】
【０００２】
電柱に機器を取り付けるには、電柱の性質上、バンド体を介して当該機器を取り付けざるを得ないのであるが、従来は、当該機器専用のバンド体を用いて装柱するようにしている（例えば、特許文献１）。
【０００３】
【特許文献１】特開２００２−１４７４１５号公報
【発明の開示】
【発明が解決しようとする課題】
【０００４】
従来は、専用のバンド体を用いるため、電柱環境によっては新たな機器の装柱が困難な場合があり、少くも、既設のバンド（電柱に締付けた）を利用するのと較べれば装柱コストが掛かる。
【０００５】
本発明は、斯様な常況を勘案し、既設の電柱用バンド（接続ボルトで一対のバンド片を接続して半円状にし、外半円状のものと半円状のバンド片の相対する両端を緊締ボルトで締め付けて構成する３片式のものと、接続ボルトで一対のバンド片を接続して構成した、一対の半円状のものの相対する両端を同様に緊締ボルトで締め付けて構成した４片式のものがあり、概し、支線用として用いられている）を利用した機器装柱装置を提供すべく創案したものである。
【課題を解決するための手段】
【０００６】
電柱に締付けた既設の電柱用バンドのバンド片同士を接続して先端側をバンド片より突出させた接続ボルトとこれに螺合した接続ナットを係合孔において内嵌して第一装柱金具の方形状の中央片を前記バンド片に重ね合わせ、該中央片の一方側の両端に相対設した挟持片を前記バンド片の端縁に相対させる一方、他の一方側の両端にＬ形屈曲状にして設けた接続片に、組付板と装柱板を互いに交差方向に配して構成した第二装柱金具の組付板を重ね合わせ、該組付板に前記接続ボルトの先端を貫通させて組付板より突出する該接続ボルトの先端に止着ナットを螺合する一方、前記各接続部片と前記組付板に接続片側から締結ボルトを貫通させて該組付板より突出させたその先端に締結ナットを螺合すると共に、第二装柱金具の前記装柱板には取付手段によって機器を取付けた、構成とするのである。
【発明の効果】
【０００７】
本発明によれば、電柱に締付けた既設のバンドに手を加えることなく、該バンド部品である接続ボルトを利用して機器の装柱を確実に支障なく行うことができる。
【０００８】
また、装柱作業時において、締結ボルトと締結ナットを用いて第一、第二の装柱金具を互いに止着して接続ボルトを利用して止着ナットを螺合、締め付けることにより前記各装柱金具を装柱できるから当該作業を簡単に行うことができる。
【０００９】
そして、装柱状態にあっても、挟持片間にバンド片が介在する構成を採るから、何等かの原因による装柱金具全体の回動を規制して当初の装柱状態を維持でき、従って、安定した機器の装柱状態を得ることができ、或いは、止着ナットが接続ナットの緩み止め機能を果たして既設の電柱用バンドの締付け状態の安定性も図ることができるものである。
【実施例】
【００１０】
図面は本発明に係る機器装柱装置の一実施例を示し、図１は平面図、図２は図１の一部拡大図、図３は図２の一部欠截側面図である。
【００１１】
図示の構造のものは、電柱間に架線したケーブルｃの余長分を電柱近傍において保持する余長金具ｈ（具体例をあげるまでもなく公知）を装柱するために適用したもので、電柱ｄに締付けた既設の電柱バンドＢの接続ボルト１を利用して第一装柱金具２と第二装柱金具３を電柱バンドＢ（電柱ｄ）に組付け、前記の余長金具ｈを装柱するようにしたものである。
【００１２】
電柱バンドＢは、一対のバンド片４，４を前記接続ボルト１と該ボルト１に螺合した接続ナット５によって互いに接続した２組の半円状のもの（バンド体）を前記電柱ｄを介在させて相対向させ、該半円状のものの両端において相対する緊締受部片４ａ，４ａに緊締ボルト６をわたし、一方の部片４ａより突出するボルト６の先端に緊締ナット７を螺合して電柱ｄに締め付けた所謂４片式の電柱用バンドであって、図示の電柱バンドＢは、前記緊締ボルト６にシンブルｍを介して支持線ｓを引留め、該支持線ｓに前記ケーブルｃを支持させるために適用したものである。
【００１３】
前記第一装柱金具２は、方形状の中央片２ａの一方側の両端に挟持片２ｂ,２ｂを相対設し、他の一方側の両端にＬ形屈曲状にして接続片２ｃ，２ｃを連設して構成し、前記中央片２ａと該中央片２ａに対して直行方向に配した前記接続片２ｃの基部とで空隙部ａを形成させる一方、中央片２ａには前記接続ナット５（これを螺合した接続ボルト１も含めた）を係合する係合孔８を設け、接続片２ｃには締結ボルト９の挿通孔１０を設けたものである。
【００１４】
前記第二装柱金具３は、互いに直角方向に配して互いに連設する組付板１１と装柱板１２とで成り、組付板１１には、第一装柱金具２の前記接続片２ｃに設けた挿通孔１０と一致する位置にして一対の第一透孔１３，１３を、また、該第一透孔１３，１３間のほぼ中央に前記接続ボルト１挿通用の第二透孔１３Ａをそれぞれ設け、装柱板１２には前記余長金具ｈの取付ボルト１４用の挿通孔１５を設けて構成したものである。
【００１５】
そして、第一装柱金具２と第二装柱金具３を挿通孔１０と第一透孔１３が一致させるようにして重ね合わせ、第一装柱金具２の接続片２ｃ側から前記孔１０，１３に締結ボルト９を貫通させ、組付板１１の第一透孔１３より突出する該ボルト９に締結ナット１６を螺合、締付けて両金具２，３を互いに止着し、この止着状態で、既設の電柱バンドＢの接続ボルト１に螺合した接続ナット５を、第一装柱金具２（中央片２ａ）側の係合孔８に内嵌（係合）する一方、接続ボルト１を第二装柱金具３（組付板１１）側の第二透孔１３Ａに貫通させるようにすると共に、第一装柱金具２の中央片２ａの両端に相対設した挟持片２ｂ，２ｂを前記バンド片４の端縁に相対させて（挟持片２ｂ，２ｂ間にバンド片４を係合させ）、互いに止着した第一、第二の装柱金具２，３を電柱バンドＢに組合わせ、第二装柱金具３の組付板１１の第二透孔１３Ａより突出する接続ボルト１の先端に止着ナット１７を螺合締め付けることにより各金具２，３はバンドＢを介して装柱される。
【００１６】
そして、第二装柱金具３の装柱板１２に余長金具ｈ（ケーブルｃの余長分を巻回状態で保持する）の取付片ｈ´を重ね合わせ、前記取付ボルト１４とこれに螺合した取付ナット１８によって締付けることによって装柱機器である余長金具ｈは装柱され、実施例装置を得られるのである。
【図面の簡単な説明】
【００１７】
【図１】平面図。
【図２】図１の一部拡大図。
【図３】図２の一部欠截側面図。
【符号の説明】
【００１８】
１      接続ボルト
２      第一装柱金具
２ａ    中央片
２ｂ    挟持片
２ｃ    接続片
４      バンド片
５      接続ナット
８      係合孔
９      締結ボルト
１１    組付板
１２      装柱板
１６    締結ナット
１７    止着ナット
【図１】
2007135334.tif 000003
【図２】
2007135334.tif 000004
【図３】
2007135334.tif 000005